(57)【要約】【課題】本発明は、待機電力のゼロ化と、洗濯途中での停電から電源復帰した時、停電前の途中洗濯工程から運転を自動的に再開させることが出来る洗濯機を提供できる。【解決手段】本発明は、外槽内に回転自在に設置した洗濯兼脱水槽と、動力源に駆動電動機を使用して前記洗濯脱水槽を駆動する電動駆動装置と、外槽または洗濯兼脱水槽の給排水を行う給排水手段と、洗濯兼脱水槽内の水の量を検出する水位検出手段と、前記駆動電動機および給排水手段への給電制御と、水位判定を行う制御装置と、商用電源から電気を供給する電源回路を備えた電気洗濯機において、押圧でオンし、押圧を解くとオフする電源スイッチと、前記商用電源と前記電源回路との間に設けたラッチングリレーと、洗濯工程の状態を記憶する不揮発性メモリを備え、一連の洗濯工程の途中で電源が遮断されても電源が復帰後は、前記ラッチングリレーと前記不揮発性メモリにより、先にー停止した途中工程から自動的に運転を再開させることを特徴とする。【選択図】図２
2011072730.tif 000002
【特許請求の範囲】
【請求項１】
外槽内に回転自在に設置した洗濯兼脱水槽と、動力源に駆動電動機を使用して前記洗濯脱水槽を駆動する電動駆動装置と、外槽または洗濯兼脱水槽の給排水を行う給排水手段と、洗濯兼脱水槽内の水の量を検出する水位検出手段と、前記駆動電動機および給排水手段への給電制御と、水位判定を行う制御装置と、商用電源から電気を供給する電源回路を備えた電気洗濯機において、
押圧でオンし、押圧を解くとオフする電源スイッチと、前記商用電源と前記電源回路との間に設けたラッチングリレーと、洗濯工程の状態を記憶する不揮発性メモリを備え、
一連の洗濯工程の途中で電源が遮断されても電源が復帰後は、前記ラッチングリレーと前記不揮発性メモリにより、先にー停止した途中工程から自動的に運転を再開させることを特徴とする電気洗濯機。
【請求項２】
請求項１記載の電気洗濯機において、
前記ラッチングリレーはトグル作動でオンかオフに機械的に保持される接点と、オフしている前記接点をオンにするセットコイルと、オンしている前記接点をオフにするリセットコイルを有することを特徴とする電気洗濯機。
【請求項３】
請求項２記載の電気洗濯機において、
洗濯運転中は前記セットコイルに通電を維持することを特徴とする電気洗濯機。
【発明の詳細な説明】
【技術分野】
【０００１】
本発明は、電気洗濯機に関するものである。
【背景技術】
【０００２】
電気洗濯機は、洗濯、すすぎ、脱水の各工程の一連の動作で洗濯が完了する。
近年、電気洗濯機の電源スイッチにはデザインの関係上マイクロスイッチが使われ、リレーとの組み合わせにより電源を開閉する構成となっている。しかし、リレーは電気的に励磁させリレー接点を閉じているため、停電など電源が遮断されると電気的に保持しているリレー接点も開いてしまい電源が復帰してもリレー接点が開いた状態のため、洗濯機は使用者が電源を投入する操作を行わない限り電源が供給されない。また、使用者が電源を再投入しても、各工程のどこまで終了しているかを判断する事は困難で、洗濯の最初工程から再度行う必要がある。
【０００３】
停電から復帰した際、停電前の洗濯工程の途中から運転させるためには不揮発性メモリに工程の状態を記憶させ、復帰時に不揮発性メモリの記憶内容により工程を再開する事が出来るが、復帰後洗濯機への電源を供給するには電源スイッチを押す必要があり、停電後復帰しても一連の洗濯工程を完了させるには電源スイッチを押す操作が必要となる。
【０００４】
電源スイッチを押さずに停電から復帰し一連の洗濯工程を終了させるには洗濯機への電源を常に供給させておく回路構成が必要であり、待機電力が発生してしまう。
【発明の概要】
【発明が解決しようとする課題】
【０００５】
洗濯工程の途中で停電し停電から復帰した時、停電前の工程から再開させる回路構成の場合、洗濯機の電源をオフにしても回路上電力を消費するため、待機電力をゼロに出来ない。
【０００６】
また、電源オフ時の待機電力をゼロにする回路構成の場合、洗濯途中の工程で停電してから電源が復帰しても、洗濯を再開出来ない。
【０００７】
本発明によれば、これら待機電力のゼロ化と洗濯途中での停電から電源復帰した時、停電前の途中洗濯工程から運転を自動的に再開させることが出来る洗濯機を提供できる。
【課題を解決するための手段】
【０００８】
本発明は上記の課題を解決するため、商用電源開閉に接点の開閉状態を機械的に保持する事が出来るリレーと、洗濯工程の状態を記憶する不揮発性メモリを搭載することで解決する。
【発明の効果】
【０００９】
本発明は待機電力のゼロと、停電から復帰した時停電前の洗濯途中工程から自動的に再スタートする事が出来る洗濯機を提供できる。
【図面の簡単な説明】
【００１０】
【図１】本発明の制御構成図である。
【図２】コントローラの回路構成図である。
【図３】電源スイッチを押してマイコンが起動する時のフローチャート図である。
【図４】停電から復帰した再のマイコンが起動する時のフローチャート図である。
【発明を実施するための形態】
【００１１】
図１は本発明による電気洗濯の実施形態を示す。
【００１２】
１は洗濯機の外枠で、内部機構の周囲を内包する洗濯機の枠体である。２は、洗濯機の外枠の内部に設けられた洗濯兼脱水槽である。洗濯兼脱水槽の上部の縁部に流体バランサー３を備えている。洗濯兼脱水槽２の底部の内側には回転自在に撹拌翼４を備える。５は外槽であり、その内部に洗濯槽兼脱水槽２を回転自在に備えている。外槽５の底部の外側にはモータ（電動機）を有する電動駆動装置６を鋼板製の取り付けベース７によって取り付け、外枠１の上端四隅から防振支持装置８によって懸垂支持される。
【００１３】
衣類投入開口９ａを設けた上カバー９は洗濯兼脱水槽２の上に設けられている。上記上カバー９は枠体１の上部開口を覆うように該開口端縁に嵌め込み、フロントパネル１０およびバックパネル１１と共に取り付けねじ（図示省略）によって枠体１に取り付ける。
【００１４】
上カバー９の前方で、フロントパネル１０の下方に形成されるフロントパネルボックス１２は、電源スイッチ１３と操作スイッチである入力スイッチ群１４と表示素子群１５と外槽５内の水位に応じた水位信号を発生する水位センサー１６と制御装置１７を内蔵する。
【００１５】
上カバー９の後方で、バックパネル１１の下に形成されるバックパネルボックス１８には、上カバー９の後方で、バックパネル１１の下には、入水側を水栓１９に接続し、出水側を注水口２０に接続する給水電磁弁２１を内蔵する。注水口２０は、洗濯槽兼脱水槽２の開口に向けて放水するように形成されている。
【００１６】
上カバー９に形成した衣類投入開口９ａは、蓋２２によって開閉自在に覆う構造となっている。
【００１７】
外槽５の底部に形成した排水口５ａは、排水弁２３を介して排水ホース２４に接続されている。また、外槽５の下方にはエアートラップ５ｂが設けられ、このエアートラップ５ｂはエアーチューブ２５を介して前記水位センサー１６に接続されている。水位センサー１６は上記構成により水位を検出し、水位を表わす信号を制御装置１７に入力する。
【００１８】
枠体１の下方には、四隅に脚２６を取り付けた合成樹脂製のベース２７を装着する。
【００１９】
洗濯運転を開始すると、制御装置１７からの給電により排水弁２３を閉じ、給水電磁弁２１を開く。給水電磁弁２１を開けることにより、水栓１９に接続された水道水が給水電磁弁２１、注水口２０を介し洗濯兼脱水槽２内に洗濯コース、洗濯量に応じ設定された水位まで放水される洗濯が開始される。
【００２０】
本電気洗濯機の回路構成を図２に示す。
【００２１】
接点の開閉状態を機械的に保持出来るリレー（以下ラッチングリレー）２９、電源スイッチ１３、商用電源から回路への電源供給する電源回路３１、電源回路の出力電圧を検知するリセット回路３２、電源スイッチの押下状態検知するスイッチ信号取込回路３４、商用電源のゼロクロス検知とラッチングリレーの接点開閉状態検知も兼ねるＨｚ信号回路４０、電源が遮断されても記憶内容を維持する不揮発性メモリの記憶回路４１、給水弁２１や洗濯モータ６を駆動する双方性サイリスタ３６ａ−ｅ、使用者が洗濯コースなど選択する操作スイッチ回路１４、運転中の洗濯工程を表示する表示回路１５、洗濯機全体の制御を行うマイコン３３から構成される。
【００２２】
電源スイッチ１３は、押圧で接点がオンし、押圧を解くと接点がオフする自動オフ復帰するものである。ラッチングリレー２９は、ラッチングリレー２９はトグル作動でオンかオフに機械的に保持される接点と、オフしている接点をオンにするセットコイル２９ａと、オンしている接点をオフにするリセットコイル２９ｂを有する。
【００２３】
また、この回路は、クラッチソレノイド４２、排水弁開閉検知スイッチ３７ａ、３７ｂ、排水弁開閉検知スイッチ信号取込み回路３８ａ、３８ｂ、発振回路３９を有する。
【００２４】
ラッチングリレー２９には、接点を閉じるためのセットコイル２９ａと開くためのリセットコイル２９ｂあり、セットコイル２９ａに通電すると接点が閉じ、コイルへの通電を遮断しても接点状態は機械的に保持される。接点を開く場合は、リセットコイル２９ｂに通電する。
【００２５】
動作のシーケンスは、電源スイッチ１３を押下すると接点がＮＯ側と導通状態となるため、抵抗２８を介し電源回路に商用電源が供給されマイコン３３を動作させるためのＤＣ電源を供給しマイコン３３が動作を開始する。マイコン３３が動作開始すると、マイコン３３からラッチングリレー２９のセットコイル２９ａへ通電され接点が閉じ電源スイッチ１３を放しても商用電源の通電が継続し、使用者が選択した洗濯工程へ運転が開始される。一連の選択工程が終了した後、ラッチングリレー２９のリセットコイル２９ｂに通電することにより、リレー接点を開放し電源を遮断する。
【００２６】
一連の洗濯工程で、洗い、すすぎ、脱水など各工程が始まる前にその工程の運転情報を記憶回路４１に書き込む。停電により電源が遮断されると、マイコン３３への電源も供給されないため洗濯工程の途中で停止する。しかし、ラッチングリレー２９の接点は機械的に保持されるため電源が供給されなくても、接点は閉じた状態を保持する。電源が復帰すると、電源スイッチ１３を押さなくてもラッチングリレー２９の接点は閉じた状態を保持するため電源回路３１を介し電源が供給されるためマイコン３３が動作を再開する。この時、記憶回路の運転状態を読みどの工程で停電になったかを判断しその工程から運転を再開する。
【００２７】
以上のマイコン３３が起動する再、電源スイッチ１３が押されて起動する場合のタイムチャートを図３に示し、停電から復帰して起動する場合のタイムチャートを図４に示す。マイコン３３が、電源スイッチ１３を押され起動したのか、停電から復帰し起動したのかは、マイコン３３がリセット解除時のスイッチ信号取込回路３４からの信号により判断でする。
【００２８】
ラッチングリレー２９は、セットコイル２９ａ通電することで接点を閉じることが出来、通電をやめてもその状態を保持するが、本発明では洗濯脱水等の振動により接点が開放する恐れがあるため、運転中は常にセットコイル２９ａに通電することにより防止している。
【００２９】
すなわち、ラッチングリレー２９のセットコイル２９ａに通電して接点をオンにすると、接点はオン状態に機械的に保持されるが、電気洗濯機の脱水時に発生するアンバランス振動で接点がオフしないようにセットコイル２９ａに通電を維持することにより、途中で突然に停止することのない安定した洗濯機の運転が行うことができる。
【００３０】
上記発明により、洗濯工程途中で停電が発生しても停電から復帰した際、工程の途中から洗濯を自動的に継続させることが出来る上、電源オフ時の待機電力もゼロにすることが出来る電気洗濯機を提供できる。
【００３１】
また、上記実施例では縦型の洗濯機を挙げて説明したが、ドラム式の洗濯機、あるいは洗濯乾燥機にも本発明は適用可能である。
【符号の説明】
【００３２】
３０…負荷リレー
３５…リレー駆動回路
３７ａ、３７ｂ…排水弁開閉検知スイッチ
３８ａ、３８ｂ…排水弁開閉検知スイッチ信号取込み回路
３９…発振回路
４２…クラッチソレノイド
２９…ラッチングリレー
２９ａ…セットコイル
２９ｂ…リセットコイル
１３…電源スイッチ
【図１】
2011072730.tif 000003
【図２】
2011072730.tif 000004
【図３】
2011072730.tif 000005
【図４】
2011072730.tif 000006